(57)【要約】【課題】膜状ミラーシートを用いて平面鏡と凹面鏡とを、小型で簡単な構造によって容易に変更することができるミラーを提供する。【解決手段】曲率変化が可能な円形の膜状ミラーシート１と、枠状のホルダーリング２と、断面湾曲形状でその中央にはつまみ３を備えると共に周縁に前記ホルダーリング２と係合する縁部とを備え、かつスナップアクション機構を備えた背面盤４とからなり、前記膜状ミラーシート１の周縁を周囲方向に伸張させながらホルダーリング２と縁部と係合させると共に枠状のホールドリング５とによって挟着して固着し、膜状ミラーシート１と背面盤４との間に密閉する空間Ｓを形成したことを特徴とする。【選択図】  図３
2011224101.tif 000002
【特許請求の範囲】
【請求項１】
曲率変化が可能な円形の膜状ミラーシートと、枠状のホルダーリングと、断面湾曲形状でその中央にはつまみを備えると共に周縁に前記ホルダーリングと係合する縁部とを備え、かつスナップアクション機構を備えた背面盤とからなり、前記膜状ミラーシートの周縁を周囲方向に伸張させながらホルダーリングと縁部と係合させると共に枠状のホールドリングとによって挟着して固着し、膜状ミラーシートと背面盤との間に密閉する空間を形成したことを特徴とするミラー。
【請求項２】
背面盤の中央に孔を有しつまみの軸が出没自在に移動するようになっており、つまみの移動によって前記空間を開閉できるようにして、平面鏡の状態で空間が大気圧と同調し得る機構を組込んだことを特徴とする請求項１記載のミラー。
【請求項３】
前記膜状ミラーシートを係合するに際し、ホルダーリングと背面盤の縁部とが互いに噛み合う波状断面によって凹凸嵌合して係合させていることを特徴とする請求項１又は２記載のミラー。
【請求項４】
前記膜状ミラーとして、厚さ２０ないし６０μｍのプラスチックフィルムを基材として用いることを特徴とする請求項１ないし３のいずれか１つに記載したミラー。
【発明の詳細な説明】
【技術分野】
【０００１】
この発明は、化粧用あるいは髭剃り用等に使用するミラーに関するものである。
【背景技術】
【０００２】
従来より、化粧あるいは髭剃り等を行なう場合、鏡が不可欠で種々の鏡が使用されている。これらの用途に用いる鏡としては、平面鏡が一般的であるが、凹面鏡としても使用することが必要な場合がある。
このため、鏡の両面を用い一方を平面鏡、他方を凹面鏡とし、目的に応じて反転させて使用する洗面用の鏡が、古くからホテル等で用いられている。
【先行技術文献】
【特許文献】
【０００３】
【特許文献１】特開平１０−１６５２７３号公報
【非特許文献】
【０００４】
【非特許文献１】Arthur L. Palisoc(L’Garde,Inc.)、”Large Telescope Using a Holographically-Corrected Membrane Mirror”、[Online]、June 6-7,2000、[平成２１年６月３日検索]、インターネット、<URL:www.niac.usra.edu/files/studies/final_report/416Palisoc.pdf
【発明の概要】
【発明が解決しようとする課題】
【０００５】
前述の先行技術文献のうち、特許文献１に示された可変ミラーは、周縁部をフレームに支持された可撓性鏡面板の中央部を、スライドする軸とカムを組合わせた調節機構を操作ハンドルの回転により作動させ、平面鏡、凹面鏡、凸面鏡に切り替えるもので、手鏡等として用いられるものである。
このように板状の鏡面材を用いてこの曲率を変化させる場合、特許文献１のように鏡面版に直接力を加えると、力を加えた箇所とそうでない箇所との曲率の変化に微妙な差ができて曲面が歪むおそれがある。また機械的な構造を組込むと構造が複雑になり、ガラス製ミラーを使用することとあいまって重量が増え、かつミラーが大型化してしまう難点があった。
【０００６】
一方非特許文献１には、曲率変化が可能な鏡面シートを気体の圧力で変形させて一種の凹面鏡や凸面鏡とし、大型の反射望遠鏡に利用する技術が開示されている。この技術によれば、前記特許文献１に開示された鏡とは異なり、鏡面シートに非接触な状態で変化させることができるため、鏡面が歪んだり曲率変化が段階的になるという惧れはなくなる。
【０００７】
本発明は、非特許文献１の着想と同様に、気体を巧みに利用し、ミラー面に非接触の状態で曲面が変化できる機構を採用するものであるが、このような大規模な光学装置に用いるものではなく、身近で手軽に用いることができるミラーについて検討した結果、膜状ミラーシートをスナップアクション機構を備えた背面盤を用いて平面鏡と凹面鏡とに簡単に変化させることができる、小型軽量で携行に便利なミラーを提供しようとするものである。
【課題を解決するための手段】
【０００８】
すなわち本発明の要旨とするところは、曲率変化が可能な円形の膜状ミラーシートと、枠状のホルダーリングと、断面湾曲形状でその中央にはつまみを備えると共に周縁に前記ホルダーリングと係合する縁部とを備え、かつスナップアクション機構を備えた背面盤とからなり、前記膜状ミラーシートの周縁を周囲方向に伸張させながらホルダーリングと縁部と係合させると共に枠状のホールドリングとによって挟着して固着し、膜状ミラーシートと背面盤との間に密閉する空間を形成したことを特徴とするミラーにある。
また本発明は、背面盤の中央に孔を有しつまみの軸が出没自在に移動するようになっており、つまみの移動によって前記空間を開閉できるようにして、平面鏡の状態で空間が大気圧と同調し得る機構を組込んだことを特徴とするものであり、さらに前記膜状ミラーシートを係合するに際し、ホルダーリングと背面盤の周縁とが互いに噛み合う波状断面によって凹凸嵌合させていることを特徴とし、加えて前記膜状ミラーとして、厚さ２０ないし６０μｍのプラスチックフィルムを基材とすることを特徴とするものである。
【発明の効果】
【０００９】
本発明は、前述の如き構成からなるものであるから、曲率変化が可能な膜状ミラーシートを、スナップアクション機構を備えた背面盤のつまみの操作だけで、平面鏡から凹面鏡への変更、ならびにその逆の操作により凹面鏡から平面鏡への変更をきわめて容易に操作することができると共に、その構成上構造を簡易にかつ軽量にすることができるので、とりわけ携行して使用するミラーとして実用価値が高い効果がある。
また背面盤のつまみ部分に平面鏡状態で空間が大気圧と同調しうる機構を組込むことにより、気圧が急激に変化した場合でも平面鏡の平面性を保持し得る利点がある。
【図面の簡単な説明】
【００１０】
【図１】本発明の一実施例を示す斜視図である。
【図２】図１の背面から見た斜視図である。
【図３】図１の断面図である。
【図４】図３のＡ箇所の拡大断面図である。
【図５】図３のＢ箇所の拡大断面図である。
【図６】つまみを操作している状態を示す断面図である。
【図７】図６のＣ箇所の拡大断面図である。
【図８】本発明の別の実施例を示す断面図である。
【図９】図８の斜視図である。
【発明を実施するための形態】
【００１１】
以下本発明の実施の形態を図面に基づき説明する。
図中、図１ないし図７は本発明の一実施例を示すもので、このうちの図１は、ミラーを正面から見た斜視図であり、図２は背面から見た斜視図である。
これらの図において、１は円形の膜状ミラーシート、３はつまみ、４は背面盤をそれぞれ示すものである。そしてこの例は、つまみ３部分に大気圧と同調することができる機構を組込んだミラーに係るものである。
【００１２】
本発明の構成をさらに詳しく説明すると、平面鏡状態を示す図３及び図４のように、膜状ミラーシート１は、その周縁を周囲方向に伸張させながら、ホルダーリング２に設けた下向きの波型断面２Ａと、背面盤４の周縁に設けた上向きの波型断面４Ａとの間に挟みこむが、このような断面間で挟むことによって、膜状ミラーシート１が周囲方向に摩擦でひっぱられて平面状態が保持されることになる。そしてこの断面間に接着剤を施し、さらに外方から押えリング５を嵌合することで、膜状ミラーシート１と背面盤４との間に密閉された空間Ｓを形成し、これらを確実に固定することができる。
【００１３】
そして本発明における背面盤４は、図３に示すように、平面鏡の状態では上方に凸となり、周縁を除くミラー面をほぼ占めるる相似形の大きさの湾曲部４Ｂと、その周縁に連接され薄肉部をもった屈曲部４Ｃとから構成され、この結果背面盤４はスナップアクション機構を備えている。また、その中央には孔４Ｄが設けら、この孔４Ｄ内をつまみが３が移動できるようになっている。
この状態でつまみ３の部分は、図５示すように孔４Ｄ内壁とＯリング６とに僅かな間隙Ｐがあるため、この間隙Ｐによって大気圧と同調しており、仮にエレベーターなどに乗ったときなど大気圧が急激に変化した場合でも、平面鏡に影響を及ぼすことはなく、常に平面性が保持されることになっている。同図において、４Ｅの溝はＯリング６が下に当たった状態でも空気が流通できるように設けたもので、４Ｆの外側溝も空気の流通のために設けたものである。
【００１４】
本発明のミラーは、上述した構成になっているので平面鏡の状態から凹面鏡の状態へ簡単な操作により容易に変更することができる。すなわち、図１の状態からつまみ３を引くことにより、孔４Ｄの中でつまみ３だけが下側に移動してＯリング６により間隙Ｐが塞がり、空間Ｐは気密状態になる。
つまみ３がさらに下方に引かれると、湾曲部４Ｂが反転して図６のようになる。すなわち、これは上方に凸に形成された湾曲部４Ｂを無理やりに押し下げると、湾曲した断面の長さが湾曲部４Ｂの直径より長いため、反対側に凸になってしまう現象を利用したものである。これにより気密状態の空間Ｓの要領が拡大して中の空気が減圧され、大気圧により膜状ミラーシー１は下方に凹となり、凹面鏡に瞬時に変化させることができる。
【００１５】
このようにして図６の凹面鏡の状態となったときは、背面盤４は屈曲部４Ｂが曲がることで下方に凹の状態を保持するようになっている。さらに図７では孔４Ｄの上方が若干すぼむため、つまみ３の上端を押えるかたちとなり空間Ｓの負圧によりつまみ３がみだりに上方に移動することはない。
【００１６】
ミラーを平面鏡の状態に戻すときは、つまみ３を指で押し上げて移動させれば、前述の反転現象が起きて、空間Ｓはもとの容積に戻り、内圧は大気圧と同じになる。さらにつまみ３は前述の孔４Ｄも広がるため、上方に移動してＯリング６も移動し、間隙Ｐには空気が流通することになる。このように本発明のミラーは、簡単な部品構成で平面鏡から凹面鏡に、またその逆に変化する膜状ミラーとすることができる。
【００１７】
上記実施例において、使用する円形の膜状ミラーシー１としては、ポリエステルなどのプラスチックシートの片面に金属蒸着膜を形成したものが好ましいが、シート基材として厚さ２０〜６０μｍのプラスチックシートも使用できる。この厚さの範囲のものを使用すると、ミラー面としての性能及び曲率変化が可能で好ましい。なお、プラスチックシート以外でも、曲率変化が可能なチタン箔なども使用可能である。さらに金属蒸着膜の表面に透明保護層や透明ハードコート層を設けることができる。
また、背面盤４はポリピロピレンなどの屈曲に強いプラスチック材料で一体的に成形することができるが、スナップアクション機構を備えていれば金属材料でも用いることができる。また、ホールドリング２もプラスチック材料で成形することができるが、金属材料であっても使用可能である。さらに押えリング５は、剛性が求められるので、金属板を成形したものが好ましい。
【００１８】
図８及び図９は、本発明の別の実施例を示すもので、上述した実施例のようにして作製したミラーにカバー７を取付けたものである。この例ではミラーの周囲に外枠８を設け、これにヒンジ９機構を組込んだものである。
このようにすれば、不使用時は膜状ミラーシート１に蓋をして塵埃や傷から保護することができるようなり便利である。
【００１９】
以上本発明を実施例の図面に基づいて説明したが、本発明はこの例に限定されるものではなく、例えば大気圧の急激な変化が起きにくい環境で使用するときは、つまみ３部分に大気圧と同調しうる機構を省略することも可能であり、またミラーに蓋７を取り付けたときは、膜状ミラーシート１に設けるハードコート層を省略することもできる。さらに、角型のミラー面をもったミラーにしたい場合は、枠として角型の窓を持ったものを使用すれば可能である。
【符号の説明】
【００２０】
１          膜状ミラーシート
２          ホルダーリング
３          つまみ
４          背面盤
５          押えリング
６          Ｏリング
７          蓋
Ｓ          空間
【図１】
2011224101.tif 000003
【図２】
2011224101.tif 000004
【図３】
2011224101.tif 000005
【図４】
2011224101.tif 000006
【図５】
2011224101.tif 000007
【図６】
2011224101.tif 000008
【図７】
2011224101.tif 000009
【図８】
2011224101.tif 000010
【図９】
2011224101.tif 000011